Podtech/llm-jp-corpus-v4-ja_patent huggingface dataset:
(57)【要約】【課題】棒状の耳掻きを使用して外耳道の上下の耳垢を除去しようとする時、耳掻きを外耳道で１８０度回転する必要があるが、外耳道の感触が鈍いと耳掻きの先端の位置がわかりずらく、無駄な回転、移動が必要となり外耳道を傷つけることもあり、且つそのような事を防ぐために先端を丸い形状にしたものは、耳垢の除去の感触に違和感がある。【解決手段】耳掻きの先端の形状を湾曲形、楕円形などのスプーン状にし、且つその背面に同形の耳掻き部分を取り付ける。【選択図】    図１
2005323987.tif 000002
【特許請求の範囲】
【請求項１】
棒状の耳掻きの先端の形状が湾曲形、楕円形などのスプーン状であり、かつその背面に同形の湾曲形、楕円形などのスプーン状を設け、耳掻き部分を先端より同じ位置、あるいは異なる位置に一体型として図１のように取り付けた耳掻き。
【発明の詳細な説明】
【技術分野】
【０００１】  本発明は、耳掻きに関するものである。
【背景技術】
【０００２】  従来の耳掻きは耳掻き部分が一面であり、外耳道の耳垢を除去するときには、必要なだけ回転させて行うもの（例えば特許公開２００４−７３７３７）、また先端が円形になっている耳掻きは円形の先端で耳垢を除去するもの（例えば特許公開平１１−１５５７５６）があるが、前者（特許公開２００４−７３７３７）は外耳道で先端方向が分かり辛くなり、回転させてその位置を確かめる動作が必要であり、後者（特許公開平１１−１５５７５６）は先端の形状が円形である為、外耳道壁面への当りに違和感が生ずることがあった。
【特許文献１】    特許公開２００４−７３７３７
【特許文献２】    特許公開平１１−１５５７５６
【発明の開示】
【発明が解決しようとする課題】
【０００３】  解決しようとする問題点は、外耳道の耳垢を除去しようとする時、先端の耳掻き部分が、どの位置にあるか把握する為に不要に耳掻きを回転させたり、外耳道への当りの感覚に違和感があり、且つ外耳道の耳垢が簡単な動作で容易に除去出来ない為、外耳道の耳掻きによるすり傷などがあった事があった。本発明は、これらの欠点を解決する為に発明されたものである。
【課題を解決するための手段】
【０００４】  本発明は、図１のように棒状の柄３を持つ耳掻きの先端の一面の形状を湾曲形、楕円形などのスプーン状１とし、かつその背面に同形の湾曲形、楕円形などのスプーン状をした耳掻き部分２を先端より同じ位置、あるいは異なる位置に一体型として取り付けた耳掻きの構造を採用した両面耳掻き。
【発明の効果】
【０００５】  本発明の耳掻きを使用することによって、外耳道の耳垢などを除去する際、耳掻きの先端を上下に軽く動かすだけで先端の位置が簡単に判明し、耳掻きの回転を最小限で押さえて耳垢を除去でき、先端の形状が湾曲形、楕円形、あるいはスプーン形などを採用しているので、外耳道の壁面へのあたりに違和感がなく、回転などで余分な部分をこすることもなく、外耳道に傷つけずに、楽に耳垢などを除去できる。
【発明を実施するための最良の形態】
【実施例１】
【０００６】  図１は本発明の１例を示したものであり、１および２の２つのスプーン状の耳掻き部分を、両面に取り付けたもの。
【図面の簡単な説明】
【０００７】
【図１】耳掻きの全体図
【図２】耳掻きの正面図
【図３】耳掻きのＡ−Ａ′断面図
【符号の説明】
【０００８】  １．一面の耳掻き部分
２．背面に取り付けた耳掻き部分
３．耳掻きの柄
【図１】
2005323987.tif 000003
【図２】
2005323987.tif 000004
【図３】
2005323987.tif 000005
(57)【要約】【課題】  電気掃除機稼動時に掃除機本体排気口から排出される悪臭を解消する。【解決手段】  電気掃除機用集塵袋に芳香剤を施すこととで、電気掃除機稼動時に排出される排気の気になる臭いを好ましい芳香に変える。【選択図】  なし【特許請求の範囲】
【請求項１】
集塵袋本体の一部分に芳香剤を施すことにより、電気掃除機稼動時に芳香効果を付加した電気掃除機用集塵袋
【発明の詳細な説明】
【技術分野】
【０００１】  本発明は、芳香剤を施した電気掃除機用集塵袋に関するものである。
【背景技術】
【０００２】  電気掃除機稼動時、排気と共に不快な悪臭が掃除機本体の排気口から排出される。これは、掃除機が吸引した空気が、収集された塵の溜まった集塵袋を通過すること、その空気が掃除機内を通過する際に機体の稼動熱を吸収し熱を帯びること、この２点の相乗効果によって起こると考えられる。この悪臭は、高温多湿となる梅雨時にも増幅するが、塵が集塵袋内に多く蓄積される程、排出空気の排出を妨げることとなり掃除機本体の稼動熱も僅かながら上昇し、臭いを増幅させる原因となる。
従来の電気掃除機用集塵袋は、掃除機本体から排出されるこの嫌な臭いに関して、特別な施しのないものか、または、その材料に消臭・防臭効果のある紙材等を使用したものだけであった。
【特許文献１】特開平０５−９５８７３０号公報
【特許文献２】特開平０３−２５０００５号公報
【特許文献３】特開２００１−１２０４７７号公報
【発明の開示】
【発明が解決しようとする課題】
【０００３】  このように、従来の電気掃除機用集塵袋には防臭・消臭効果を目的として工夫されたものはあったが、悪臭を軽減することだけに重点が置かれており、その排気臭を全く違った芳香に変える発想・工夫は施されていない。本発明は、掃除機から発せられるこの悪臭を、芳香剤によって好ましい「芳香」にしてしまおうというものである。
【課題を解決するための手段】
【０００４】  本発明は、電気掃除機用集塵袋の一部分に芳香剤を施し、電気掃除機稼動中に発せられる熱と排気を上手く利用することにより、芳香が掃除機本体の排気出口から排出されるようにした。
発明者は自宅室内を電気掃除機で清掃中、室内用として小皿に設置しておいた芳香剤（白檀の香り、直径約５ｍｍの乾燥した丸薬状のお香の集合）一粒を誤って掃除機で吸引してしまった。それ以後、電気掃除機使用中は排気口から白檀の香りが常に程良く香り、この芳香により大変快適な気分で清掃できるようになった。しかし当然ながら、使用済みの集塵袋を廃棄し新品に取替えてしまうとこの芳香効果はなくなる。そこで発明者は集塵袋に予め芳香剤を施すことを考案した。
【発明の効果】
【０００５】  この発明によって、電気掃除機使用中に排出される嫌な臭いは芳香に切り替えられ、悪臭発生を緩和することができる。昨今は「香」を生活の各場面に取り入れることで、気分転換やリラックス効果など香りの効能を楽しむ場面も増えており、特に多くの女性達に好まれ取り入れられている。この芳香電気掃除機用集塵袋を使用することによって家内等の清掃を不快感なくより快適に行うことが出来る。香の種類が多種であれば、その時々で好みの香りを選択することも可能であろう。
従来、悪臭が強まるとされる高温多湿時や集塵袋に塵が多量に溜まった時期には、同じ原因で芳香も強く発せられ、この発明の効果も増大する。
【発明を実施するための最良の形態・実施例】
【０００６】  この発明は、掃除機本体から排出される熱と排気を上手く利用するものであるので、集塵袋に芳香剤を施す部分は、吸入された空気が排気口に流れて行く通気路を捉えた箇所が望ましい。
【０００７】  図１にはその１例として、固形状芳香剤（径約５ｍｍ）を不織布等で集塵袋に固定する方法を説明している。芳香剤の固定箇所は集塵袋の外部・内部の区別は問わないが、図１の方法を採用する場合は、掃除機内の通気性を妨げないよう固定材料には網目状や多孔性で通気性の高い不織布などのシートを利用する。
【０００８】  集塵袋の通気性を損なわないようであれば、液体状の芳香剤を塗布する方法もよく、特に芳香剤の形状種類は問わない。ここでいう芳香とは、世間一般的に「よい香り」と受け止められる芳しく寛げる類の香りを指す。
【図面の簡単な説明】
【０００９】
【図１】  芳香電気掃除機用集塵袋を立体化した状態の斜視図である。
【図２】  芳香電気掃除機用集塵袋の正面図である。
【図３】  図２の芳香電気掃除機用集塵袋と電気掃除機の一部の断面図である。
【符号の説明】
【００１０】  １．電気掃除機用集塵袋の外袋
２．芳香剤
３．合成繊維などから成る網目状の不織布など
４．接着剤
５．厚紙
６．空気の流れを示す矢印
７．電気掃除機ホース
８．電気掃除機本体の排気フィルター
９．空気吸入口
１０．弁
【図１】
2005323961.tif 000002
【図２】
2005323961.tif 000003
【図３】
2005323961.tif 000004
(57)【要約】【課題】  手作り麺を自動化した場合の欠点をカバーするのが課題である。【解決手段】  麺生地をこねて押し出す容器内部に、微弱放射性鉱物と遠赤外線を放射する鉱物を原料とする、セラミックを取り付けたものである。【選択図】  図１
2005323962.tif 000002
【特許請求の範囲】
【請求項１】
微弱放射性鉱物と遠赤外線を放射する鉱物を、原料としたセラミックを、小形製麺器の麺生地こね容器内部に取り付けた、家庭用製麺器。
【発明の詳細な説明】
【技術分野】
【０００１】  本発明は、麺生地を小形製測器で生成する場合、どうしても手作り麺より劣るのを、出来るかぎり手作り麺に近づけた、小形製麺器に関する。
【背景技術】
【０００２】  従来よりうどん等の手作りによる製麺は、小麦粉を適当な水によって手こね作業後、一定時間このこねた生地を一度寝かせ、この寝かせた生地を再度手こね作業に入り、この生地を麺棒により平たく延ばし、これを折りたたんで包丁により麺状に切り、これを湯でることでうどんに仕上げるものであるが、この製麺の手作業を簡略化した小形製麺器の開発は古く、その出願も古くから多く提出されて来た。【０００３】  従来の手作業を簡略化された小形製麺器は、先ず一番面倒な一度こねた生地を寝かせる行程が省かれ、又こねの作業も機械化の場合には不足しており、グルテンが不足して、麺の腰が手作り麺に比べ劣ることは、やむをえないことであった。
【発明の開示】
【発明が解決しようとする課題】
【０００４】  小形製麺器が手作り麺に比べ省略されている行程が多く、麺の腰と味の点で問題の有る製麺器を、手作り麺に出来るだけ近づけるのが課題である。
【課題を解決するための手段】
【０００５】  製麺器のこね容器内に、微弱放射性鉱物と遠赤外線を放射する鉱物を原料とした、セラミックを取り付け、そのマイナスイオンと遠赤外線による効果で、解決しようとするものである。
【発明の効果】
【０００６】  発明の効果としては、微弱放射性鉱物よりの遠赤外線及び、マイナスイオンによる効果が期待出来るものである。
【発明を実施するための最良の形態】
【０００７】  もっともその効果が期待出来る位置は、麺生地をこねて麺状に押し出す容器内に、セラミックを取り付け、麺状に押し出される前に、セラミック部分を通過させるのが、最良の形態である。
【実施例】
【０００８】  マイナスイオンに関しては、菅原明子保健学博士の著書「マイナスイオンの秘密」に「身の周りのブラスイオンによる環境汚染が深刻化し、体中の筋肉に乳酸が大量にたまって血液などが酸性化します。  人間の血液はｐＨ７，３〜７，４の弱アルカリ性がよいといわれ、体液は酸性に傾いたときにさまざまな病気に冒されやすいことが昔から知られています。  しかし、この古典的な知識もいくつかの誤りを含んでいるので、ここで整理して置きましょう。  まず、一番の誤りは食品の酸性、アルカリ性です。  食品を燃やして灰にし、そのなかに含まれるミネラルを酸やアルカリで滴定して、酸性・アルカリ性を決めるのは明治時代からのやりかたです。  これはほとんど意味がありません。しかし、迷信的に信じられて今日までその信仰は続いているように見受けられます。  食品の酸性・アルカリ性はあくまでも体のなかに入る前の酸性・アルカリ性です。  たとえば、動物性タンパク質は１００グラムを燃やすと、６０ミリモルの硫酸と５０ミリモルのリン酸を作るから酸性だという粗っぽいものです。  しかし、体の中かでは硫酸やリン酸がそのまま存在するわけでなく、うまく胃酸が働いてアミノ酸まで分解されれば、効率のよいタンパク質の供給源になります。  しかもアミノ酸は、アミノ基というプラスイオン部分とカルボキシル基というマイナスイオンの部分の両方を持っている両性電解質です。  これらは、血液の酸・アルカリのバランスをとってくれます。  ところが、同じタンパク質である肉でも食べ過ぎて腸で腐敗発酵すると、腸の中で過酸化脂質が大量にでき、これが体中にまわるので体は活性酸素の働きで酸化されやすくなります。  つまり、体外で酸、アルカリを決めてもナンセンス。  同じ食品であってもその人その人でどのように消化されるかによって毒にもなり薬にもなる（酸、アルカリをバランスさせる）ものなのです。  それでは酸のもとになるものは何かといえば、体の疲労、精神の疲労で共通してできる乳酸です。  乳酸は弱電解質であまり水に溶けませんが、体がプラスイオンにふれて電子不足の状態に陥れば、その分だけ乳酸はイオン化が激しく起こり水素イオンを大量発生させて酸性になります。  乳酸をためるということは、非常に古典的な肉体疲労の結果の老化物質という以上の、あらゆる病気のもとであり、食事でとりこむ酸性食品、アルカリ性食品をはるかに越えた影響を私たちの体に与えるのです。  したがってマイナスイオンとして電子を体に供給すればするほど水素イオンは減り、乳酸はイオンとしてではなく物質として移動するようになると考えられます。  これが弱アルカリのメカニズムだと考えられます。」と記載されている。【０００９】  又家庭内は電化されて多くの電化製品からのプラスイオンに充満しており、製麺も古来の手作りから便利性を求め電化すれば、当然プラスイオンの発生源となる。  本発明のものは、この人体に悪影響を与えるプラスイオン発生を、防止する効果をも期待出来るものである。【００１０】  図１に記載せるものは、一般に市販されている小形製麺器の、製麺部分の断面説明図であって、遠赤外線とマイナスイオン放射セラミックの、取り付けの一例を示すものである。【００１１】  うどんの例で説明すれば、��と定量の水を入れ、粉をそぼろ状になるようにまぜ、電源スイッチを入れた製麺器カバー投入口６にこれを入れ、ほぐし棒で少しづつかき入れる。【００１２】  かき入れられたそぼろ状の粉は、スクリュー３によりこねられ麺生地となり、ノズル部４に送り込まれ、押し出すようにノズル４の径にあった麺が出てくる。これを適当の長さに切断しながら、容器に取り出すものである。【００１３】  この麺を湯がくことでうどん等が出来るものであるが、手作り麺に比べこねも短時間であり、寝かす行程も省かれており、再度こねる事も省略されているので、グルテンが出来ずに腰の無い麺になる、そこで本発明のものは、スクリュー部３の容器７の内部に、微弱放射鉱物及び遠赤外線を放射する鉱物を、原料とするセラミック８を取り付け、セラミック８の部分を通過する時に遠赤外線効果及び、マイナスイオンによる効果が期待出来るもので、少しでも麺の味を良くしようとするものである。
【産業上の利用可能性】
【００１４】  家庭用の小形製麺器によって作る麺の味を、少しでも良くする効果が期待出来るものである。
【図面の簡単な説明】
【００１５】
【図１】  小形製麺器の製麺部断面図を示す図である。
【符号の説明】
【００１６】１  モーター
２  減速器部分
３  スクリュー
４  ノズル
５  ホッパー
６  投入部カバー
７  外容器
８  セラミック
【図１】
2005323962.tif 000003
(57)【要約】【課題】  ゴルフクラブをスイングする時、グリップの力の弱い人や、又強い人でもグローブやグリップが雨、汗等でぬれた場合等は、ゴルフクラブグリップと手が滑りやすくスイングやインパクトに集中しにくかった。それを防ぐために、どのような状況においてもゴルフクラブグリップと手の滑りをなくする器具を提供する。【解決手段】  手首とゴルフクラブグリップ１を、ひも３を介してつないだ手首固定具ベルト４、マジックテープ５とゴルフクラブグリップ固定具フック２でそれぞれ固定し、その間をつないだひも３がゆるまないようにゴルフクラブをグリップした手の前方にフック２の固定ヶ所を調節し固定することによりどのような場合にもゴルフクラブグリップと手の滑りを防げるようにした。【選択図】図１
2005323964.tif 000002
【特許請求の範囲】
【請求項１】
手首等とゴルフクラブグリップをひも等を介してつないだ固定具でそれぞれ固定することを特徴とするゴルフクラブグリップと手の滑り防止器具。
【請求項２】
前記、ゴルフクラブグリップと手の滑り防止器具は、手首等とゴルフクラブグリップをそれぞれの固定具で固定しその間をつないだひも等がゆるまないように、固定箇所を調節し固定することを特徴とする、請求項１記載のゴルフクラブグリップと手の滑り防止器具。
【発明の詳細な説明】
【技術分野】
【０００１】  この発明は、ゴルフクラブをスイングする時のゴルフクラブグリップと手の滑りを防止する器具に関する。
【背景技術】
【０００２】  従来のゴルフクラブグリップと手の滑りを防止する器具は、滑りにくい材料を用いたさまざまな形状のグリップやグローブ等、それぞれ別々の器具であった。
【発明の開示】
【発明が解決しようとする課題】
【０００３】  しかしながら、以上の技術によればゴルフクラブをスイングする時グリップの力の弱い人や、又強い人でもグローブやグリップが雨、汗等でぬれた場合等は、ゴルフクラブグリップと手の滑りを気にかけながらスイングせざるを得なかった。【０００４】  そこで、この発明は、どのような状況においてもゴルフクラブグリップと手の滑りを防止する器具を提供することを課題とする。
【課題を解決するための手段】
【０００５】  以上の課題を解決するために、第一発明は、手首等とゴルフクラブグリップを、ひも等を介してつないだ固定具で、それぞれ固定することを特徴とするゴルフクラブと手の滑り防止器具である。【０００６】  また、第二発明は、手首等とゴルフクラブグリップそれぞれの固定具の間をつないだひも等が、ゆるまないように固定ヶ所を調節し固定することを特徴とする、ゴルフクラブと手の滑り防止器具である。
【発明の効果】
【０００７】  第一発明、または第二発明によれば、手首等とゴルフクラブグリップをそれぞれ、ひも等を介してつないだ固定具で手首等とゴルフクラブグリップをゆるみなく調節し固定することを特徴とする為、【０００８】  ゴルフクラブをにぎる力の強弱や雨、汗等でグリップやグローブ等がぬれた場合等にも手からゴルフクラブグリップが滑らない。
【発明を実施するための最良の形態】
【０００９】  この発明の一実施形態を、図１に示す。
ゴルフクラブをグリップした時、手首にぴったり固定できるようにベルト４の内側にスポンジ等のクッション６を付け、手首の状態にあわせて簡単に調節し固定できるようにマジックテープ５を用いる。【００１０】  又、ゴルフクラブグリップ１の固定には簡単にひも３のゆるみを調節でき、スイングしたときのゴルフクラブの引っ張りに耐える金属製のフック２を用いる。【００１１】  つぎに、手首とゴルフクラブグリップ１の固定具フック２をつないだひも３は、スイングした時のゴルフクラブの引っ張りに延びずに耐えるてぐす等を用いる。【００１２】  又、ひも３の長さは、ゴルフクラブをグリップした手の前方に、フック２を用いてゴルフクラブグリップ１を固定できる長さにし、その太さは、ゴルフクラブグリップとひも３をいっしょにグリップした時、気にならない程度の太さを用いる。【００１３】  「実施形態の効果」
この実施形態によれば、グローブをつけてもつけなくても手にぴったりゴルフクラブを固定でき、どのような状況においてもゴルフクラブグリップ１と手の滑りをなくせる。【００１４】  特にグローブを使用しなくても手の滑りによる抜け落ちの心配がなく手とゴルフクラブグリップ１がひも３を介して一体となる為、スイングからインパクトに集中できるので打球の飛距離が出やすくなる。【００１５】  又、前述の手とゴルフクラブがひもを介して一体となる為、ゴルフクラブグリップと手の滑り防止器具としての効果に加えて、スイング練習器具としての効果も得られる。【００１６】  「他の実施形態」
図１の実施形態では、手首の固定ベルト４とひも３の部分が別々の材料であったが、他の実施形態では、図３のように材料の強度さえ確保できれば皮、布、プラスチック等の一体成型具７の形状でもよい。
【図面の簡単な説明】
【００１７】
【図１】この発明の一実施形態を示す斜視図である。
【図２】この発明の手首固定具とゴルフクラブグリップ固定具ひも等の関係を示す斜視図である。
【図３】他の実施形態の手首固定ベルトとひもの一体成型器具の斜視図である。
【符号の説明】
【００１８】１  ゴルフクラブグリップ            ２  フック
３  ひも                            ４  ベルト
５  マジックテープ                  ６  クッション
７  ベルトとひもの一体成型具
【図１】
2005323964.tif 000003
【図２】
2005323964.tif 000004
【図３】
2005323964.tif 000005
(57)【要約】【課題】  癌にかかっても、手術を行なわなくても良いようにする。また、副作用が出ないものにする。そして、癌やウイルス・細菌感染症を完全に治療できるようにする。【解決手段】  本発明は、血管を通り体内から患部を治していくので、手術を行なう必要がない。さらに、異常なＤＮＡ又はＲＮＡを持つものしか破壊しないので、正常な細胞を破壊することがなく、副作用が出ない。本発明は、全身の血管を通るので、癌細胞やウイルス、細菌がどこに存在していても治療できる。さらに、癌においては転移があっても治療できる。【選択図】  図２
2005323968.tif 000002
【特許請求の範囲】
【請求項１】
大きさ、形状、性質を赤血球と同様に造り、白血球に外敵と見なされないようにした装置。
【請求項２】
装置の内部に核酸分解酵素を入れたもの。
【請求項３】
膜骨格上に異常なＤＮＡ又はＲＮＡを感知するセンサーを取り付けた装置。
【請求項４】
膜骨格上に、スライド式で細胞膜や核膜、細菌が持つ細胞壁、ウイルスが持つ殻を貫き、核内に酵素を注入するための管を取り付けた装置。
【発明の詳細な説明】
【技術分野】
【０００１】  本発明は、医学の分野に属する発明である。本発明は大きさ、形状、性質を赤血球と同様に造ったものである。膜骨格上に、異常なＤＮＡ又はＲＮＡを感知するセンサーと、細胞膜や核膜、細胞壁、ウイルスの殻を貫き、核酸分解酵素を注入する管を取り付けた装置である。本発明は、生理的食塩水に混ぜ、点滴方式で静脈から体内に入れて使用する。
【背景技術】
【０００２】  本発明は、新しい技術を利用した発明であり、比較する技術は存在していない。
【発明の開示】
【発明が解決しようとする課題】
【０００３】  癌にかかっても、手術を行なわなくても良いようにする。また、副作用が出ないものにする。そして、癌やウイルス・細菌感染症を完全に治療できるようにする。
【課題を解決するための手段】  本発明は、血管を通り体内から患部を治していくので、手術を行う必要がない。さらに、異常なＤＮＡ又はＲＮＡをもつものしか破壊しないので、正常な細胞を破壊することがなく、副作用が出ない。本発明は、全身の血管を通るので、癌細胞やウイルス、細菌がどこに存在していても治療できる。さらに、癌においては転移があっても治療できる。
【発明の効果】
【０００４】  本発明により、上記に示したような効果が得られる。
【発明を実施するための最良の形態】  本装置の直径は７μｍ、厚さは２μｍであり、膜骨格や膜、管は分子レベルでの製造になるため、原子を見られる顕微鏡を用いての作業になる。膜骨格は、装置がパラシュート型や砲弾型に変形し、毛細血管を通過できるようにする。センサーと管は、装置に納まる大きさとし、管はできるだけ細くし、細菌が持つ細胞壁やウイルスが持つ殻を貫けるほど硬いもので、伸ばせるようにする。そして、白血球に外敵と見なされないようにするために膜の表面に血液型物質を付ける。素材は、膜骨格、膜は赤血球と同様で、センサー、管、管台は体内で無害な物質に分解されるものとする。管は、膜が壊される時に一緒に壊されるようにする。
【実施例】
【０００５】  初めに、別々に膜骨格、センサー、管を造る。次に、膜骨格上に管台、管、センサーを取り付ける。そして、核酸分解酵素を入れ、膜で覆う。最後に、血液型物質を膜上に付ける。
【図面の簡単な説明】
【０００６】
【図１】上から見た図である。
【図２】装置の断面図である。
【図３】装置の管が癌細胞に入りこんだ図である。
【符号の説明】
【０００７】１  センサー
２  管
３  膜骨格
４  管台
【図１】
2005323968.tif 000003
【図２】
2005323968.tif 000004
【図３】
2005323968.tif 000005
【手続補正書】
【提出日】平成16年6月25日(2004.6.25)
【手続補正１】
【補正対象書類名】図面
【補正対象項目名】図３
【補正方法】変更
【補正の内容】
【図３】
2005323968.tif 000006
(57)【要約】【課題】  従来の耳カキは、少し強くかき出しても、痛がることが多かった、この耳カキを使う、ことによって、調整し耳に入れて軽く回すだけで。感触よく、簡単に耳の掃じが出来る、器具である。【解決手段】  （１）の調整ネジを回すことによって、（４）の先端で、（５）を開閉することによって、耳に合った感触が楽しめる。【選択図】  図  １
2005323977.tif 000002
【特許請求の範囲】
【請求項１】
本器具は、耳カキを使用する人が耳に合わせて、開閉を自在にして、耳に入れ回すことによって、耳の感触が楽しめる、耳カキ。
【発明の詳細な説明】
【技術分野】
【０００１】  本発明は耳に、調整し開閉して回すことによって、簡単にらくに楽しむ事が出来る、器具。
【背景技術】
【０００２】  従来の耳カキは、痛くて大変だったが、この耳カキは、開閉を調整して回すだけで、簡単に使用できる。
【発明の開示】
【発明が解決しようとする課題】
【０００３】  これは、開閉を合わせ、耳にかるく入れて、回すだけで感触を楽しめるようにした、器具である。
【問題を解決するための手段】
【０００４】  耳カキでカキ出す痛みがなく、軽く回して、耳を傾けるだけで、耳のゴミが出てくるのである。
【発明の効果】
【０００５】  先端を調整して、回転させる事によって、痛みを和らげました。
【発明を実施するための最良の形態】
【０００６】  （２）取っ手の先端に（７）鋼鉄の針金を４〜５本埋め込み（６）の先端をＵの字形に曲げる、（１）の調整ボールトの先で（４）で押し出し（５）を開閉する事によって、耳の感触が自由に得られる。
【図面の簡単な説明】
【０００７】
【図１】    本発明の横面図である。
【符号の説明】
【０００８】１    調整ボールトのコイン溝ぞ
２    樹脂の取っ手
３    ネジ山を加工する
４    先端をＶの字形に加工する
５    先端が開閉する
６    先端をＵの字形に折り曲げる
７    鋼鉄の針金を４〜５本通す
【図１】
2005323977.tif 000003
(57)【要約】【目的】  口臭の原因のひとつに舌苔がある。これは舌の表面に生ずる苔状のもので、リンパ球、上皮細胞、食物残渣等が舌乳頭の間に残り、更に、これ等に細菌が繁殖し、薄い白色及び黄色の舌苔が形成したものでる。これら舌苔を拭き取り口腔内を清潔にし口臭を防ぐことを目的とする。【構成】  パイル系の布や凹凸を有する紙を、細長い溝状のヘッド部分に装着し、舌を磨くようにしたもので、舌苔を拭き取ることにより口臭を防止する用具である。【選択図】    図  ５
2005323973.tif 000002
【特許請求の範囲】
【請求項１】
舌クリーナは、ヘッド部分と柄部分からなり、ヘッド部分は細長い溝状である。短方の断面はＣ字型で、長方の両側に細長い繊維状で先端が鉤となった突起物を配置した。これがパイル系の布及び紙等を固定するものである。
凹型溝の基底部から鉤かたの柄を連結させたものである。
ヘッド部分にパイル系の布や凹凸の有する紙を被せて舌に付着した舌苔を拭き取るようにした舌クリーナである。
【発明の詳細な説明】
【発明の詳細な説明】
【産業上の利用分野】
【０００１】  この発明は舌の細胞や組織を全く傷めずに、かつ、簡単に舌苔を拭き取る舌クリーナに関するものである。
【背景技術】
【０００２】  従来の舌クリーナとしては後部に把手柄を連結した略円盤状の基台に歯ブラシ状に毛を植え込んだもの、あるいは単に植毛したワイヤーをＹの字に左右に張ったものや、後部に把手柄を連結したリング状枠体の前端部の上下に舌苔掻き取り用の鍔を設けやや後方に植毛したワイヤーを張り渡したものが存在するが、いずれも製造コストが高くついたり、掻き取り効果が低い、又、舌の細胞や組織を著しく傷めるため味覚障害を発生させる要因となる欠点を持っている。
【発明が解決しようとする課題】
【０００３】  本願は上記のこれら欠点を解決し、製造コストが安価でしかも舌苔の拭き取り効果が高く口臭を予防し、舌の細胞や組織を傷めず味覚障害を発生させないための、舌クリーナを提供するものである。
【課題を解決するための手段】
【０００４】  この目的を達成するため、本発明は、この舌クリーナのヘッド部分にパイル系の布や凹凸を有する紙を被せ使用する舌クリーナである。
【発明の効果】
【０００５】  本発明は、上記ようにパイル系の布や凹凸を有する紙をこの舌クリーナのヘッド部分に被せ舌苔を拭き取ように構成した舌苔拭き取り器で、舌苔の拭き取り効果が著しく高いこと、口臭を予防すること、舌の細胞や組織を傷めず味覚障害を発生させないことの効果がある。
【図面の簡単な説明】
【図１】舌クリーナ
【図２】舌クリーナ背面
【図３】舌クリーナ側面
【図４】舌クリーナとパイル系の布及び凹凸を有する紙との関連
【図５】舌クリーナのヘッドにパイル系の布及び凹凸を有する紙を装着
【図６】パイル系の布
【図７】凹凸を有する紙（平面・断面）
【符号説明】
１  柄
２  繊維状の突起
３  ヘッド部分
４  パイル状の布及び凸凹を有する紙
【図１】
2005323973.tif 000003
【図２】
2005323973.tif 000004
【図３】
2005323973.tif 000005
【図４】
2005323973.tif 000006
【図５】
2005323973.tif 000007
【図６】
2005323973.tif 000008
【図７】
2005323973.tif 000009
(57)【要約】【課題】  特にアマチュアゴルファーなどは、一定の技術が身についてなく、毎日感覚が違うものである。そこでその日の体調に合わせ、ゴルフパターヘッドに付いているスライド式バランスを、好みの場所に自由にスライド移動させ使用することで、本来の感覚でパターのストロークが出来る。【解決手段】  ゴルフパターヘッド（１）の一部にレール凹（３）を設け、そのレールの上に雌ネジ（６）を設けたバランス凸（２）を設け、これの一部に雄ネジ（４）を設け、（２）と（４）の間に緩め止め（５）を設ける。【選択図】  図１
2005323978.tif 000002
【特許請求の範囲】
【請求項１】
ゴルフパターヘッド（１）の一部にレール凹（３）を設け、そのレールの上に雌ネジ（６）を設けたバランス凸（２）を設け、これの一部に雄ネジ（４）を設け（２）と（４）の間に緩め止め（５）を設けたスライド式バランス器具付ゴルフパターヘッド。
【発明の詳細な説明】
【発明の詳細な説明】
【技術分野】
【０００１】この発明は、ゴルフパターヘッドの一部にスライド式バランス器具を設けたゴルフパターヘッドに関するものである。
【背景技術】
【０００２】従来ゴルフパターヘッドの至る所にバランスは固定して埋めこんであった。
【発明が解決しようとする課題】
【０００３】  これはつぎのような欠点があった。
（イ）誰もが本来パターの持つ特性に合わせて利用しなくてはならず、自分自身の感性・癖などを生かすことが出来なかった。
（ロ）人によっては好みの鉛バランスをパターヘッドに貼ったものである。
本発明は、これらの欠点を除くためになされたものである。
【課題を解決するための手段】
【０００４】ゴルフパターヘッド（１）の一部にレール凹（３）を設け、そのレールの上に雌ネジ（６）を設けたバランス凸（２）を設け、これの一部に雄ネジ（４）を設け、（２）と（４）の間に緩め止め（５）を設ける。
【発明を実施するための最良の形態】
【０００５】雄ネジ（４）を緩め、バランス凸（２）を好みの位置にスライドさせて、雄ネジ（４）を締めて利用する。
【実施例】
【０００６】  以下、発明の実施例について説明する。
（イ）ゴルフパターヘッド（１）の一部にレール凹（３）を設け、そのレールの上に雌ネジ（６）を設けたバランス凸（２）を設ける。
（ロ）バランス凸（２）の一部に雄ネジ（４）を設け、（２）と（４）の間に緩め止め（５）を設ける。
【発明の効果】
【０００７】  本発明は以上のような構造で、これを使用するときは、雄ネジ（４）を緩め、バランス凸（２）を好みの位置にスライド移動させ、雄ネジ（４）を締めて使用する。このようにその日の体調に合わせて使用することができる。仮に練習グリーンで、パターを打つ時、やたらとひっかけたり、押し出したりした時に、微妙に調整して使用すると、今現在の自分のストロークで楽しくプレー出来るものと信じる。
なお図３、ゴルフパターヘッド（１）の一部のレール凹（３）がレール凸（８）とバランス凹（９）でも良い。又レール（３）（８）に何ヶ所かの雌ネジ（７）を設けておいても良い。
【図面の簡単な説明】
【図１】  本発明の斜視図である。
【図２】  本発明の断面図である。
【図３】  本発明の他の実施例を示す斜視図である。
【符号の説明】
１  ゴルフパターヘッド    ２バランス凹
３  レール凸              ４  雄ネジ
５  緩め止め    ６雌ネジ    ７雌ネジ
８  レール凸    ９バランス凹
【図１】
2005323978.tif 000003
【図２】
2005323978.tif 000004
【図３】
2005323978.tif 000005
(57)【要約】【課題】  家庭で洗濯した衣類を干すとき使用する、取り外し入れ替えの出来る物干しハンガーを提供する。【解決手段】    衣類の首穴に通すフレームが着脱出来る個々のハンガーが、更にそれを集合して取り付けられる、吊り竿に着脱出来ることを特徴とする取り外し入れ替えの出来る物干しハンガー。【選択図】  図２
2005323971.tif 000002
【特許請求の範囲】
【請求項１】
衣類の首穴に通すフレームが着脱出来る一個一個のハンガーが更に吊り竿に集合して取り付けることの出来る、取り外し入れ替えの出来る物干しハンガー。
【発明の詳細な説明】
【技術分野】
【０００１】  本発明は、家庭で洗濯した衣類やセーター類を干す時に使う、物干しハンガーに関する物である。
【背景技術】
【０００２】  従来、洗濯した肌着やセーター類を干す時に使う連結ハンガーは、肌着の大きさや、長物、また型くずれなどに無関心に同じ形と大きさの物が並んで取り付けられているだけだった。
【発明の開始】
【発明が解決しょうとする課題】
【０００３】    そのため次ぎのような問題点があった。
（イ）肌着の首穴の型くずれをおこす恐れがあった。
（ロ）セーター類を干すと殆ど形や肩の部分が変形してしまった。
（ハ）連結して密接して干してるので、干しむらがあってもその部分を取り外して一個のハンガーとして干すことが出来なかった。
（ニ）長物を干す場合は不向きだった。
本案は、以上の問題点を解決するためになされたものである。
【課題を解決するための手段】
【０００４】  首穴から通すフレームの部分が取り外せたり取替え出来るようにし、またそのハンガーが一個一個のハンガーとして独立して使えたり吊り竿に嵌め込んで使えたりするよう、着脱出来るようにした、取り外し入れ替えの出来る物干しハンガー。
【発明の効果】
【０００５】  大事な肌着やセーター類の形を崩すこともなく、干しむらも防げる、又生地の長い干し物も掛けやすい。
【発明を実施するための最良の形態】
【０００６】    以下、本発明の実施の形態を説明する。
（イ）  フック（１）にフレーム（２）をはめ込み一個のハンガーの形にする。
（ロ）  （１）と（２）を合体して出来た一個一個の複数のハンガーを２本の吊り竿のそれぞれ設けてある通し穴（５）と通し溝（６）に嵌め込んで連結させる、本案は以上のような構造でこれを使用するときは、そのまま従来のハンガーと同じでように図１のように主フック（６）を引っかけて使用することが出来るばかりでなく、干しむらなどがおきたとき、ある一個のハンガーだけを別に取り外しても使用出来る、又長い物を干すときや、首穴の小さいものを干すときはフレーム（２）の片側を外して通すことが出来る、その他セーターやオープンシャツなどを干すとき、型くずれを起こさぬよう干し物に合った別のフレームと入れ替えて使用することが出来る、勿論収納するときは二本の吊り竿を、お互い逆方向に左右にずらすことで、薄くたたみ込むことが出来る。
【図面の簡単な説明】
【０００７】
【図１】本考案の斜視図
【図２】本本考案のハンガーを吊り竿に嵌め込んだ図
【図３】本考案の入れ替え用フレームの図
【図４】本考案の吊り竿断面図
【符号の説明】
【０００８】１  フック
２  フレーム
３  吊り竿
４  連結材
５  通し穴
６  通し溝
７  親フック
【図１】
2005323971.tif 000003
【図２】
2005323971.tif 000004
【図３】
2005323971.tif 000005
【図４】
2005323971.tif 000006
(57)【要約】【課題】  新生児（〜６ｋｇ程度）を抱っこする時に装脱着が容易であり、コンパクトに出来る抱っこ補助帯を提供する。【解決手段】  新生児を抱っこした状態で、装着者１の肩に抱っこ補助帯をかけ抱っこした腕をサポートするように帯を包み込み、帯端のマジックテープで固定する。一本の帯状をマジックテープで固定する構成が特徴である。【選択図】  図１
2005323975.tif 000002
【特許請求の範囲】
【請求項１】
一本の帯にマジックテープを着ける事により、簡単に装脱着が出来る新生児（〜６ｋｇ程度）用抱っこ補助帯。
【請求項２】
コンパクトにたためる為、かさばらず、持ち運びおよび収納に便利な新生児（〜６ｋｇ程度）用抱っこ補助帯。
【発明の詳細な説明】
【技術分野】
【０００１】  本発明は、新生児（〜６ｋｇ）に用いる、簡単に装脱着が出来る抱っこ補助帯に関する。
【従来技術】
【０００２】  新生児を抱っこするのに、従来の抱っこベルト・子守帯は繋ぎがたくさんある仰々しい物（構造が複雑である）が多く、夜の眠たい中、夜鳴きをする赤ちゃんを抱っこするのに時間がかかる、すなわち装脱着が容易でなかった。また物が大きく、かさばるものが多い為、扱い・収納が不便である。
【発明が解決しようとする課題】
【０００３】  本発明は以上の問題点を解決する為になされたものであり新生児を抱っこする時に、装脱着が容易であり、コンパクトに出来る抱っこ補助帯を提供することを課題とする。
【課題を解決するための手段】
【０００４】  上記課題を解決する為に、装着者に負担がかからないようにする抱っこ補助具である。一本の帯のみで構成され、両端にマジックテープ（オス）およびマジックテープが取付けられる布部があり、従来技術のように繋ぎ部品等はなく、構造は極めてシンプルである。
【０００５】装着者１が両肩をくるむ様に帯をかけて、左手でマジックテープ布部を掴んだ状態で左腕に新生児１を抱っこする。この時、左肩から左手までのラインに沿って抱っこした腕をサポートするように帯を包み込む。右手で、帯端のマジックテープで固定帯端のマジックテープを布部に固定する。一本の帯状をマジックテープで固定する構成が特徴である。
【発明を実施するための最良の形態】
【０００５】  以下、この発明に基づいた実施形態を図１〜図４に示す。まず図３は展開図であり、帯１（木綿製）端にマジックテープ（オス）ａ〜ｄを４本取付けてある。もう片端にはマジックテープを固定する布で構成されている。【０００６】図１および図２は装着した状態の図である。両図を参照に使用方法を説明すると装着者１が両肩をくるむ様に帯をかけて、左手でマジックテープ固定布部を掴んだ状態で左腕に新生児１を抱っこする。この時、左肩から左手までのラインに沿って抱っこした腕をサポートするように帯を包み込む。右手で帯端のマジックテープを布部に固定する。【０００７】図４はコンパクトにたたんだり、丸めた状態での一例図である。帯から出てる部材が無いので簡単にたためる。【０００８】また帯材質およびマジックテープ位置は別材にて構成されても良く、どちらの腕で抱っこしても良い。
【発明の効果】
【０００８】  抱っこ補助帯を使用することにより、新生児を抱っこする時、腕の負担を軽減することが出来き、簡易的に装脱着が出来る。また抱く人の体に合わせられるように調節できる。小さくたためるので、大きくかさばらなく収納出来る。注意点は使用しない時、新生児に絡みつかないように確実に収納すること。
【図面の簡単な説明】
【０００９】
【図１】  抱っこ補助帯を装着した装着者ありの状態を示す図である。
【図２】  抱っこ補助帯を装着した帯の状態を示す図である。
【図３】  抱っこ補助帯の構造を示す展開図である。
【図４】  丸めた状態の一例図である。
【符号の説明】
【００１０】    １  装着者１
２  新生児１
３  抱っこ補助帯
４  マジックテープ固定布部
５ａ〜ｄ  マジックテープ（オス）
【図１】
2005323975.tif 000003
【図２】
2005323975.tif 000004
【図３】
2005323975.tif 000005
【図４】
2005323975.tif 000006
(57)【要約】【課題】従来の定期券ケースは定期券の出し入れの容易性を考慮して作成された。これらにＩＣカードタイプの定期券を入れた場合、改札の平板な読み取り部分に平板なケースを密着させる際、持つ指が改札の読み取り部分との間に隙間をつくり、読み取り不良が発生した。ＩＣカードタイプの定期券をいかに指定場所に容易に触れさせ読み取らせるかが課題。【解決手段】読み取り部分に容易に密着させる為、握りやすい形状の定期券ケースであることが第一の解決手段である。そこで柔らかい縫いぐるみの腹部にＩＣカードタイプの定期券を挿入するポケットを設置した。長方形で平板という従来の定型的な定期券ケースの概念を払拭した。定期券が入ればどのような形状の縫いぐるみでも利用でき、アクセサリーの一部として個性的な定期券ケースが作れる。ＩＣカードタイプのカードであれば定期券に限らず利用ができる。【選択図】図１
2005323960.tif 000002
【特許請求の範囲】
【請求項１】
ＩＣカードタイプの定期券（ＪＲ東日本のＳｕｉｃａカード、Ｓｕｉｃａ定期券、ＪＲ西日本のＩＣＯＣＡカード、ＩＣＯＣＡ定期券等）を挿入するポケットのついた定期券ケース。
【発明の詳細な説明】
【技術分野】
【０００１】従来使用されていた定期券ケースは改札通過の際、定期券の出し入れが容易である事が第一であった。本発明は殆ど出し入れの必要が無いＩＣカードタイプの定期券等を、改札の所定部分に容易にタッチして読み取りをしやすくしたＩＣカードタイプ用の定期券ケースに関するものである。
【背景技術】
【０００２】従来定期券ケースは定期券の出し入れが容易な、長方形のカードタイプのケースに限られていた。
【発明の開示】
【発明が解決しようとする課題】
【０００３】これは次のような欠点があった。
（イ）定期券の出し入れを優先するものに限られていた。こうした定期入れに「ＩＣカードタイプ定期券」を収納した場合、定期券ケースを持つ指が所定の場所にタッチする際、読み取り部分との間にスペースを作ってしまい、確実に読み取れないことがあった。
（ロ）確実に読み取りをさせるために、平板な読み取り部分に平板な定期券ケースを密着させる様に十分な気配りが必要とされた。
（ハ）また、平板な読み取り部分に平板な定期券ケースを密着させるため、読み取りの後の回収時にも十分な気配りをしないと落下してしまう事があった。
（ニ）従来の定期券ケースそのものは形状に差異が殆ど無く、物入れとしての機能が優先で、アクセサリーとしての位置づけはなく、ファッション性、個性は殆ど無かった。
本発明は、これらの欠点を除くためになされたものである。
【課題を解決するための手段】
【０００４】ＩＣカードタイプの定期券を収納するポケットを小型の縫いぐるみの胴体内部部分に付ける。縫いぐるみに延び縮みするストラップを付けてバック等にとめることが出来るようにする。改札を通過する際には縫いぐるみ自体を軽く握って読み取り部分に触れる事で使用する。
【発明の効果】
【０００５】（イ）定期券ケース自体が立体の縫いぐるみなので、タッチする際の持ちやすさがあり、改札での読み取りのエラーが発生しにくく、読み取り後も落下しない。
（ロ）定期券ケースとしてたけでなく、使用しない時は鞄に付けるアクセサリーの一部としても位置づける事ができる。
（ハ）ストラップで鞄の持ち手部分、ベルト等に結びつける事が出来るので定期券の紛失の可能性が極めて低い。
（ニ）定期ケースというと従来の四角いポケットサイズという概念であったが、本発明はＩＣカードタイプの定期券が入るスペースを確保できれば、色はもちろん大きさや形状は一切問わない為、デザインの広がりがある。
（ホ）定期券ケースそのものが、鞄や身につけるアクセサリーの一部となるので、ファッション性が高く、使用者は選択範囲が拡大する為、より個性を出しやすい。
（ヘ）挿入するカードはＩＣカードタイプのものであれば定期券たけでなく、各種エントリーキー、クレジットカード等にも使用できる。
【発明を実施するための最良の状態】
【０００６】以下本発明の実施例について説明する。
（イ）縫いぐるみ腹部の内部にＩＣカードタイプの定期券を入れるポケットをつくる。
（ロ）ポケットには落下しないように、挿入口がファスナー式タイプ、挿入口を二重に袋綴じしておくタイプ、挿入口内部にマジックテープ加工を装着したタイプを、形状によって準備する。
（ハ）このポケット部分に予めＩＣカードタイプの定期券等を挿入しておく。
（ニ）縫いぐるみ本体には伸縮する素材のストラップを付け、鞄のもち手部分、ベルト等に接着しておき、普段持ち運ぶ際は鞄の内部や脇、ポケット等に入れておける。
（ホ）改札口の通過の際に引き出して縫いぐるみ全体を軽くにぎって改札の所定部分にタッチして読み取らせる。
（ヘ）縫いぐるみは素材が柔らかいため、縫いぐるみ自体には凹凸や突起等があっても押し付けた際に読み取りがしやすい位置にカードが置かれるため、読み取り不良が発生しにくい。
（ト）ストラップがついているので不注意で落としてしまうことがない。
（チ）本発明の縫いぐるみは基本的にどの様なキャラクター、形状、サイズのものでも構わない。ＩＣカードを挿入でき、持ち運び、収納の利便性を考慮したものであれば良い。
（リ）ＩＣカードタイプの定期券の収納が出来る大きさと、タッチした際に装着したＩＣカード定期券と読み取り機間で、読み取りに支障をきたす事の無い厚みであることが要点である。
（ヌ）定期券の出し入れの容易さを目的とする従来の長方形で薄い形状ではなく、握ってタッチしやすいものであれば、縫いぐるみに限らずどの様な形の物にも収納する袋やケースさえつければ使用できる。
（ル）ＩＣカードタイプの定期券に限らず、特定なエリアへの出入りの際のカードキー、クレジットカードなどＩＣカードタイプであれば同様に使用できる。
【図面の簡単な説明】
【０００７】
【図１】本発明の平面図である。
【図２】カードを挿入した状態の図１ａ線の断面図である。
【図３】カードを挿入した状態の図１ｂ線の断面図である。
【図４】本発明の使用中の斜視図である。
【符号の説明】
【０００８】１．ＩＣカード定期券収納ポケット
２．ＩＣカード定期券挿入口
３．ストラップ
４．ＩＣカードタイプの定期券
【図１】
2005323960.tif 000003
【図２】
2005323960.tif 000004
【図３】
2005323960.tif 000005
【図４】
2005323960.tif 000006
(57)【要約】【課題】  本発明は、男性用トイレの小水の用便後の便器前に滴下した小水による床の滲み、床材の変色、変質等を防ぐ小水受け用の男性用トイレマットを提供する。【解決手段】  男性用トイレマットを吸水性のある繊維又は紙質材（１）で作り、マットの前部が便器先端部と接触するため柔軟性と吸水性のある材質（２）にして、表面と裏面の間に尿臭中和剤、多尿分の軟凝固剤の設置位置（３）を設け、マットの裏面に軟凝固剤挿入口の切込み（４）を設け、裏面全般を防水紙またはビニール（５）にして、周囲を帯状に滑り止め材（６）にしたことを特徴とする。【選択図】  図１
2005323958.tif 000002
【特許請求の範囲】
【請求項１】
男性用トイレマットを吸水性のある繊維又は紙質材（１）で作り、マットの前部を便器先端部と接触するための柔軟性と吸水性のある材質（２）にして、マットの表面と裏面の間に尿臭中和剤、多尿分の軟凝固剤の設置位置（３）を設け、マットの裏面に軟凝固剤挿入口の切込み（４）を設け、裏面全般を防水紙又はビニール（５）にして、周囲を帯状に滑り止め材（６）にした事を特徴とした男性用トイレマット。
【発明の詳細な説明】
【技術分野】
【０００１】  本発明は、男性用トイレの小水の用便後の便器前に滴下した小水による床の滲み、床材の変色、変質等を防ぐ小水受け用の男性用トイレマットに関するものである。
【背景技術】
【０００２】  従来、男性用トイレの小水で散見されたものは、雑巾かタオルを三つ折りにした程度のもので、専用に幾つかの機能を持たせた男性用トイレマットは見受けられなかった。
【発明が解決しようとする課題】
【０００３】  男性用トイレで小水のこぼれ受けは、ビルのトイレに小水専用の構築物として、ビルの建築時に設置されたものを見た事はあるが、トイレ専用の簡便な用品として広く一般的に販売されているのを見聞きしていない。
本発明は、これらの問題を手軽に解決するために発案されたものである。
【課題を解決するための手段】
【０００４】  男性用トイレマットを吸水性のある繊維又は紙質材（１）で作り、マットの前部が便器先端部と接触するため柔軟性と吸水性のある材質（２）にして、表面と裏面の間に尿臭中和剤、多尿分の軟凝固剤の設置位置（３）を設け、マットの裏面に軟凝固剤挿入口の切込み（４）を設け、裏面全般を防水紙またはビニール（５）にして、周囲を帯状に滑り止め材（６）にしたことを特徴とした男性用トイレマットである。
【発明の効果】
【０００５】  便器の形状は色々で多様性に富んでいる。
便器先端部（用便に立つ側）の接床個所における便器の湾曲度合も鋭角〜直線まで色々で、マットを便器の裾に密着させるのは困難であるが、図１の便器先端部に接触するため柔軟性と吸水性のある材質（２）に弾性を持たせた吸水性のものを用いる事で、便器の縁を伝って床へ滴下する小水の殆どを捕捉できる。
更には、既に便器前の床が変色したもの、又変質したものも綺麗に彩色を施したマットで蔽う事ができる。
【発明を実施するための最良の形態】
【０００６】  本発明の最良の形態について説明する。
男性用トイレマットを吸収性のある繊維又は紙質材（１）で作り、マットの前部を便器先端部と接触するため柔軟性と吸水性のある材質（２）にして、表面と裏面の間に尿臭中和剤、多尿分の軟凝固剤の設置位置（３）を設ける。
マットの裏面に軟凝固剤挿入口の切込み（４）を設ける。
裏面全般を防水紙又はビニール（５）にして、周囲を帯状に滑り止め材（６）にしたことを特徴とした男性用トイレマットである。
殆どの男性は放尿が終了すると同時に、尿道の残留分が床面へ滴下するのを免がれなかった。
そこで、次のようにすると問題点が解決できる。
（イ）トイレ使用の当初から床の上にこのマットを敷けば、小用時にマットに落ちた滴は    目立たず、床面は綺麗なままに維持できる。
（ロ）床面と接するところの便器前面の形状は鋭角〜直線まで色々あるので、便器と接す    る個所のマットは可撓性を持たせ、吸水性のある材質とする。
（ハ）マットの大きさは大旨玄関マットより小型軽量となるので、用便のためマットに足    が触れたときに、マットが動かぬようにマット裏面の左右両側に滑り止め材を取付け    る。
【図面の簡単な説明】
【０００７】
【図１】本発明の表面図
【図２】本発明の裏面図
【図３】本発明の断面図
【符号の説明】
【０００８】    １  吸水性のある繊維又は紙質材
２  便器先端部と接触するため柔軟性と吸水性のある材質
３  表面と裏面の間に尿臭中和剤、多尿分の軟凝固剤の設置位置
４  軟凝固剤挿入口の切込み
５  裏面全般が防水紙又はビニール
６  滑り止め材
【図１】
2005323958.tif 000003
【図２】
2005323958.tif 000004
【図３】
2005323958.tif 000005